(57)【特許請求の範囲】
【請求項１】
インナースリーブが筒状の横ビームの端部内側に挿入されて、設置面に間隔をおいて設置された隣り合う支柱の前側に、締結具により前記インナースリーブを介して横ビームが取付けられている防護柵における、特定の横ビームを取替える横ビームの取替え方法であって、
前記締結具を取外す締結具取外し工程と、
前記特定の横ビームの両端部にそれぞれ挿入されている第一のインナースリーブ及び第二のインナースリーブを、前記特定の横ビームの隣りに配置されている隣りの横ビーム側に移動させることにより、前記特定の横ビームの両端部からそれぞれのインナースリーブを抜き取った後、前記特定の横ビームを前記支柱から取外す取外し工程と、
前記特定の横ビームの両端部からその隣りの横ビーム側に移動した前記第一のインナースリーブ及び第二のインナースリーブを、前記隣りの横ビーム間に配置された取替え用横ビームの一方の端部と他方の端部とに挿入する挿入工程と、
前記取替え用横ビームの両端部に前記第一のインナースリーブ及び第二のインナースリーブが挿入された状態で、前記締結具により前記第一のインナースリーブ及び第二のインナースリーブを介して、前記取替え用横ビームを前記支柱の前側に取付ける取付け工程と、
を含み、
前記インナースリーブはスリーブ本体とカバー材とを備え、前記スリーブ本体に前記締結具である取付ボルト頭又はナットが配置されている凹部が設けられ、前記スリーブ本体は中実の棒状体の一部が切り落とされて縦壁状部が形成されているとともに、前記インナースリーブが前記支柱に取付けられた状態において、前記カバー材がスリーブ本体に被せられて取付けられるとともに、前記支柱の前側面に前記カバー材が当接されて取付けられてなり、
前記取外し工程においては、前記カバー材を取外して、前記スリーブ本体を前記隣りの横ビーム側に移動させることにより、前記特定の横ビームから前記スリーブ本体を抜き取るものであり、
前記挿入工程においては、前記特定の横ビームからその隣りの横ビーム側に移動した前記スリーブ本体を、前記隣りの横ビーム間に配置された前記取替え用横ビームに挿入するものであり、
さらに、前記挿入工程と取付け工程の間に、前記スリーブ本体に前記カバー材を被せる被せ工程
を含むことを特徴とする横ビームの取替え方法。
【請求項２】
請求項１に記載の横ビームの取替え方法により横ビームが取り替えられる防護柵であって、スリーブ本体とカバー材とを備えると共に、前記スリーブ本体に前記締結具である取付ボルト頭又はナットが配置されている凹部が設けられ、前記スリーブ本体は中実の棒状体の一部が切り落とされて縦壁状部が形成されている、インナースリーブを備えたことを特徴とする防護柵。
【発明の詳細な説明】
【技術分野】
【０００１】
本発明は、道路等に設置される防護柵、特に支柱の前側に横ビームが取付けられている、所謂フロントビームタイプの防護柵における横ビームの取替え方法に関するものである。
【背景技術】
【０００２】
従来、道路等に設置されるフロントビームタイプの防護柵としては、例えば特許文献１には、横ビームの連結構造が、支柱に対して前面側に固着されるブラケットと、ブラケットにより長手方向に向けて中央部分を支持されるインナースリーブとを備えており、インナースリーブは、ブラケット内に挿通された上で、その中央部分をボルト並びにナットにより固定することにより支持され、その結果、インナースリーブの両端が、ブラケットから長手方向から突き出された状態となり、この突き出された突出部分が、それぞれ横ビームの端部に嵌め込まれ、さらにボルトとナットにより固定されたものが開示されている。
【先行技術文献】
【特許文献】
【０００３】
【特許文献１】特開２００７−２６１３号公報
【発明の概要】
【発明が解決しようとする課題】
【０００４】
しかしながら、特許文献１のようなインナースリーブを用いた防護柵の場合には、各横ビームの取替えが煩雑な作業になる。つまり、長手方向に連続して取付けられている横ビームの中間に位置する１本の横ビームを取替えるために、取替え対象となっている横ビームとインナースリーブとを締結しているボルトを取外しても、インナースリーブの端部がビームの端部に嵌め合わされた状態が維持されたままなので、取替え対象となっている横ビームのみを支柱から取外すことができない。したがって、取替え対象の横ビームを取替えるには、連続して取付けられている横ビームの一番端の横ビームから順々に、取替え対象となっている横ビームまでの全ての横ビームを、一旦支柱から取外す必要がある。
【０００５】
また、車両の衝突等により破損した横ビームについては、その横ビームを切断等することにより、前記インナースリーブの存在にかかわらず支柱から取外すことができるものの、その場合であっても、取替え用の新しい横ビームを取付ける際には、前記インナースリーブが邪魔になり取付けることができないため、結局は上記の様に、一番端の横ビームから順々に、取替え対象となっている横ビームまでの全ての横ビームを、一旦支柱から取外さなければならない。
【０００６】
本発明は、上記従来の課題を解消するたねになされたものであり、インナースリーブを用いて横ビームが支柱に取付けられている防護柵において、取替え対象となっている横ビームの取替え作業を効率的に実施することができる横ビームの取替え方法を提供せんとするものである。
【課題を解決するための手段】
【０００７】
上記目的を達成するために、本発明は次のような構成としている。
すなわち、本発明に係る横ビームの取替え方法は、インナースリーブが筒状の横ビームの端部内側に挿入されて、設置面に間隔をおいて設置された隣り合う支柱の前側に、締結具により前記インナースリーブを介して横ビームが取付けられている防護柵における、特定の横ビームを取替える横ビームの取替え方法であって、
前記締結具を取外す締結具取外し工程と、
前記特定の横ビームの両端部にそれぞれ挿入されている第一のインナースリーブ及び第二のインナースリーブを、前記特定の横ビームの隣りに配置されている隣りの横ビーム側に移動させることにより、前記特定の横ビームの両端部からそれぞれのインナースリーブを抜き取った後、前記特定の横ビームを前記支柱から取外す取外し工程と、
前記特定の横ビームの両端部からその隣りの横ビーム側に移動した前記第一のインナースリーブ及び第二のインナースリーブを、前記隣りの横ビーム間に配置された取替え用横ビームの一方の端部と他方の端部とに挿入する挿入工程と、
前記取替え用横ビームの両端部に前記第一のインナースリーブ及び第二のインナースリーブが挿入された状態で、前記締結具により前記第一のインナースリーブ及び第二のインナースリーブを介して、前記取替え用横ビームを前記支柱の前側に取付ける取付け工程と、
を含み、
前記インナースリーブはスリーブ本体とカバー材とを備え、前記スリーブ本体に前記締結具である取付ボルト頭又はナットが配置されている凹部が設けられ、前記スリーブ本体は中実の棒状体の一部が切り落とされて縦壁状部が形成されているとともに、前記インナースリーブが前記支柱に取付けられた状態において、前記カバー材がスリーブ本体に被せられて取付けられるとともに、前記支柱の前側面に前記カバー材が当接されて取付けられてなり、
前記取外し工程においては、前記カバー材を取外して、前記スリーブ本体を前記隣りの横ビーム側に移動させることにより、前記特定の横ビームから前記スリーブ本体を抜き取るものであり、
前記挿入工程においては、前記特定の横ビームからその隣りの横ビーム側に移動した前記スリーブ本体を、前記隣りの横ビーム間に配置された前記取替え用横ビームに挿入するものであり、
さらに、前記挿入工程と取付け工程の間に、前記スリーブ本体に前記カバー材を被せる被せ工程
を含むことを特徴とするものである。
【０００８】
また本発明に係る防護柵は、横ビームの取替え方法により横ビームが取り替えられる防護柵であって、スリーブ本体とカバー材とを備えると共に、前記スリーブ本体に前記締結具である取付ボルト頭又はナットが配置されている凹部が設けられ、前記スリーブ本体は中実の棒状体の一部が切り落とされて縦壁状部が形成されている、インナースリーブを備えたことを特徴とするものである。
【発明の効果】
【０００９】
本発明に係る横ビームの取替え方法によれば、インナースリーブが筒状の横ビームの端部内側に挿入されて、設置面に間隔をおいて設置された隣り合う支柱の前側に、締結具により前記インナースリーブを介して横ビームが取付けられている防護柵における、特定の横ビームを取替える横ビームの取替え方法であって、
前記締結具を取外す締結具取外し工程と、
前記特定の横ビームの両端部にそれぞれ挿入されている第一のインナースリーブ及び第二のインナースリーブを、前記特定の横ビームの隣りに配置されている隣りの横ビーム側に移動させることにより、前記特定の横ビームの両端部からそれぞれのインナースリーブを抜き取った後、前記特定の横ビームを前記支柱から取外す取外し工程と、前記特定の横ビームの両端部からその隣りの横ビーム側に移動した前記第一のインナースリーブ及び第二のインナースリーブを、前記隣りの横ビーム間に配置された取替え用横ビームの一方の端部と他方の端部とに挿入する挿入工程と、前記取替え用横ビームの両端部に前記第一のインナースリーブ及び第二のインナースリーブが挿入された状態で、前記締結具により前記第一のインナースリーブ及び第二のインナースリーブを介して、前記取替え用横ビームを前記支柱の前側に取付ける取付け工程と、を含むようになされているので、前記取替え用横ビームを取付ける取付け工程において、前記第一のインナースリーブ及び第二のインナースリーブを前記取替え用横ビームの隣りに配置されている隣りの横ビームから前記取替え用横ビームの両端部に挿入する。このことにより、前記取替え用横ビームの一方の端部と第一のインナースリーブとが係り合い、前記取替え用横ビームの他方の端部と第二のインナースリーブとが係り合って、前記取替え用横ビームは略水平な状態に支持することができ、各支柱に取付けられるインナースリーブを移動させて取替え用横ビームの取付け作業を行うので、横ビームの取替え作業を容易に行うことができる。
【００１０】
また本発明に係る横ビームの取替え方法によれば、前記インナースリーブはスリーブ本体とカバー材とを備え、前記スリーブ本体に前記締結具である取付ボルト頭又はナットが配置されている凹部が設けられているとともに、前記インナースリーブが前記支柱に取付けられた状態において、前記カバー材がスリーブ本体に被せられて取付けられるとともに、前記支柱の前側面に前記カバー材が当接されて取付けられてなり、前記取外し工程においては、前記カバー材を取外して、前記スリーブ本体を前記隣りの横ビーム側に移動させることにより、前記特定の横ビームから前記スリーブ本体を抜き取るものであり、前記挿入工程においては、前記特定の横ビームからその隣りの横ビーム側に移動した前記スリーブ本体を、前記隣りの横ビーム間に配置された前記取替え用横ビームに挿入するものであり、さらに、前記挿入工程と取付け工程の間に、前記スリーブ本体に前記カバー材を被せる被せ工程を含むので、支柱に固定されている取付ボルト又はナットを緩めて取外し、次に前記カバー材を取外しさえすれば、前記スリーブ本体は移動可能な状態になり、前記特定の横ビーム側から前記特定の横ビームの隣りの横ビーム側に前記スリーブ本体を移動させ、前記特定の横ビーム端部から前記スリーブ本体を抜き取ることにより、前記特定の横ビームのみを取外すことができる。
【図面の簡単な説明】
【００１１】
【図１】本発明に係る横ビームの取替え方法が適用可能な防護柵の実施の一形態を示す正面図である。
【図２】図１に示す防護柵の要部拡大の平面図である。
【図３】図１に示す防護柵のＡ−Ａ矢視の側面図である。
【図４】図１に示す防護柵のＢ−Ｂ矢視の断面図である。
【図５】図１に示す防護柵を背面側から見た分解斜視図である。
【図６】図１に示す防護柵に用いられているインナースリーブのスリーブ本体を示す、（イ）は斜視図、（ロ）は（イ）の反対側から見た斜視図である。
【図７】図１に示す防護柵に用いられているインナースリーブのカバー材を示す、（イ）は斜視図、（ロ）は（イ）の反対側から見た斜視図である。
【図８】本発明に係る横ビームの取替え方法において、特定の横ビームを取外す工程を説明するための分解斜視図である。
【図９】本発明に係る横ビームの取替え方法において、取替え用横ビームを取付ける工程を説明するための分解斜視図である。
【発明を実施するための形態】
【００１２】
次に、本発明を実施するための形態について図面を参照し、具体的に説明する。
なお、本発明に係る明細書及び特許請求の範囲の記載において、設置面に立設された支柱の横ビームが取付けられている側を前側とし、その逆側を後側（又は背面側）とし、横ビームは、支柱に対して左右方向に延設されているというものとする。
【００１３】
図面において、Ｐは本発明に係る横ビームの取替え方法が適用可能な防護柵、１は設置面Ｇに間隔をおいて立設された支柱、２は前記支柱１に上下に並行に間隔をあけて２段取付けられている横ビーム、３は前記横ビーム２の端部内側に挿入されているインナースリーブであり、該インナースリーブ３が前記支柱１を前後方向に貫通する取付ボルト６とナットＮとにより、前記支柱１の前側面１１に当接されて取付けられ、もって前記支柱の前側に横ビーム２が取付けられている。
【００１４】
前記支柱１は、従来の防護柵に用いられているものと同様なものが用いられ、一般には外表面を塗装や合成樹脂で被覆した円形のパイプ材から形成されているものであって、前記横ビーム２も、従来の防護柵に用いられているものと同様なものが用いられ、一般には外表面を塗装や合成樹脂で被覆した長尺の円形パイプ材から形成されている。
【００１５】
前記インナースリーブ３は、スリーブ本体４と該スリーブ本体４に被せられるカバー材５とを備え、前記スリーブ本体４は、円筒状の前記横ビーム２の内径よりやや小さい外径の円形中実の棒状体の一部が切り落とされて縦壁状部４６が形成され、その端部が前記横ビーム２の端部内側に挿入でき、かつ横ビーム２とスリーブ本体４とが大きくガタつかないようになされている。
【００１６】
前記インナースリーブ３を構成するスリーブ本体４及びカバー材５は、安いコストで製作できる合成樹脂を成形したものでもよいが、防護柵Ｐに用いられる部材であるため、車両等の衝撃に対する強度が求められることから、アルミニウム合金や鉄合金等、金属製のものが好ましく、形状をある程度自在に成形することができる金属の成形品や鋳造品を用いるのが好ましい。この様に、前記インナースリーブ３（スリーブ本体４及びカバー材５）を金属製の中実形状にすることにより、外方から防護柵Ｐに衝撃が加わった場合であっても、ある程度の衝撃に耐え得る防護柵を形成することができる。
【００１７】
前記スリーブ本体４の中央部には、前記取付ボルト６の胴体部６１を挿通するための前後方向に貫通した貫通孔４１が設けられるとともに、該貫通孔４１の前側が拡径されて、前記取付ボルト頭６２又はナットＮが配置される凹部４２となされている。
【００１８】
また前記凹部４２は、そこに配置されている前記取付ボルト頭６２又はナットＮの回動が阻止されるように形成されており、本実施形態においては、前記取付ボルト頭６２又はナットＮが六角形状であるので、前記凹部４２も、前記取付ボルト頭６２又はナットＮより少し大きい六角形状の凹部となされ、前記取付ボルト頭６２又はナットＮを前記凹部４２に嵌め込んで配置することができるとともに、前記取付ボルト頭６２又はナットＮを回転させて取付ボルト６とナットＮを螺着する作業を行う際、前記取付ボルト６とナットＮとが一緒に回転する、所謂供回りが発生することなく、螺合作業を効率的に行うことができるように、前記取付ボルト頭６２又はナットＮの回動が阻止されるようになされている。
【００１９】
また前記貫通孔４１とそれに連通する凹部４２とが設けられているスリーブ本体４の中央部は、その前面側と背面側とが切り込まれて切り込み部４３が設けられ、それぞれ前側切り込み部４３１と後側切り込み部４３２となされ、その切り込み部４３に上方から前記カバー材５が嵌め込まれて、インナースリーブ３が形成されている。
【００２０】
また前記スリーブ本体４の両端部には、前記横ビーム２端部の下面側に設けられている横ビーム取付孔２１に対応する位置に、上下方向に貫通した横ビーム固定ボルトＢ１の胴体部Ｂ１’を挿通する挿通孔４４が設けられているとともに、該挿通孔４４の上部が拡径されて、前記横ビーム固定ボルトＢ１と螺着されてインナースリーブ３に横ビーム２を固定するための横ビーム固定ナットＮ１が配置されるビーム固定用凹部４５となされている。
【００２１】
また前記ビーム固定用凹部４５は、前記横ビーム固定ナットＮ１の回動が阻止されるように形成されており、本実施形態においては、前記横ビーム固定ナットＮ１が六角形状であるので、前記ビーム固定用凹部４５も、前記横ビーム固定ナットＮ１より少し大きい六角形状の凹部となされ、前記横ビーム固定ナットＮ１を前記ビーム固定用凹部４５に嵌め込んで配置することができるとともに、前記横ビーム固定ボルト頭Ｂ１”を回転させて前記横ビーム固定ボルトＢ１と横ビーム固定ナットＮ１を螺着する作業を行う際、前記横ビーム固定ボルトＢ１と横ビーム固定ナットＮ１とが一緒に回転する、所謂供回りが発生することなく、螺合作業を効率的に行うことができるように、前記横ビーム固定ナットＮ１の回動が阻止されるようになされている。
【００２２】
前記カバー材５は、上面側の水平壁５１の前後の端部から下方に縦壁５２，５３が突設され、側面視が下方に開口されたコの字状となされるとともに、前記上面側の水平壁５１と前面側の縦壁５２とは前記横ビーム２の外径とほぼ同じ外径となるように、その外側面側が円弧状に形成され、かつ前記カバー材５の背面側の縦壁５３は前記支柱１の前側面１１の形状に対応して円弧状に凹んで形成されている。
【００２３】
本実施形態においては、前記支柱１が円形であるので、前記カバー材５の背面側の縦壁５３は、その外側面５３１が平面視において円弧状に凹んだ凹面形状となされ、さらにその中央には、前記取付ボルト６の胴体部６１が挿通される透孔５３２が設けられている。さらに前記背面側の縦壁５３の内側面５３３には、前記前面側の縦壁５２に向けて突出した段部５３４が設けられて、前記カバー材５を下部の開口している部分から前記スリーブ本体４に嵌め込む際、カバー材５の段部５３４がスリーブ本体４の後側切り込み部４３２に嵌合し、かつカバー材５の前面側の縦壁５２がスリーブ本体４の前側切り込み部４３１に嵌合するようになされている。なお、前記カバー材５の左右の幅は、スリーブ本体４の左右の幅より狭いものとなされており、前記後側切り込み部４３２の左右の幅は、前側切り込み部４３１の左右の幅より狭くなされている。
【００２４】
そして、その凹部４２にナットＮが配置された状態の前記スリーブ本体４に、前記カバー材５が嵌め込まれ、インナースリーブ３の両端部が前記横ビーム２の端部内側に挿入されて、前記支柱１に前後方向に設けられた取付ボルト挿通孔１２と、前記カバー材５の背面側の縦壁５３の透孔５３２と、前記スリーブ本体４の貫通孔４１とに、前記取付ボルト６を挿通し、前記凹部４２に配置されたナットＮと螺着されて、前記支柱１の前側面１１にインナースリーブ３のカバー材５の背面側の縦壁５３の外側面５３１が当接されて、前記支柱１に前記横ビームが取付けられている。つまり、前記インナースリーブ３が前記支柱１に取付けられた状態においては、前記カバー材５が前記スリーブ本体４に被せられており、前記スリーブ本体４に設けられた凹部４２が隠蔽され外方から見えない様になされている。
【００２５】
また、特に図２，３に示す様に、前記カバー材５の背面側の縦壁５３の外側面５３１が凹面となされていることにより、前記横ビーム２の長手方向の端部の後端縁２２は、前記支柱１の前端縁１３より距離Ｙの寸法分離れて後側（背面側）に配置されるようになされている。これにより、支柱の前端縁に横ビームを取付ける構造となっている防護柵に比べ、少なくとも距離Ｙの寸法分、防護柵Ｐの前後方向の幅Ｘを幅狭くすることができるので、幅員の狭い道路に防護柵Ｐを設置した場合、少しでも道路幅員を広く残すことができる。
【００２６】
また、前記背面側の縦壁５３の外側面５３１の外径は、前記支柱１の外径より大きくなされ、背面側の縦壁５３の中央から左右端部に向かうに従い、支柱１の前側面１１との間に隙間Ｓが生じるようになされている。これにより、防護柵Ｐを設置する設置面Ｇが水平でなく、傾斜している場合であっても、前記取付ボルト６を軸にして、インナースリーブ３を傾斜させることができ、したがって、水平な設置面Ｇに用いる防護柵Ｐと同じ部材を用いて、傾斜した設置面にも防護柵Ｐを設置することができる。
【００２７】
次に、インナースリーブ３が筒状の横ビーム２の端部内側に挿入されて、設置面Ｇに間隔をおいて設置された隣り合う支柱１の前側面１１に、締結具である取付ボルト６とナットＮとにより前記インナースリーブ３を介して横ビーム２が取付けられている防護柵Ｐにおいて、例えば車両等が横ビームに衝突するなどして、当該横ビームを取り替える必要がある場合、その特定の横ビーム２Ａを取替える方法について説明する。
【００２８】
図８（イ）、（ロ）、（ハ）に順番に示す様に、まず、隣り合って設置面Ｇに設置されている支柱１Ａ，１Ｂに取付けられている取付ボルト６Ａ，６Ｂ及び横ビーム固定ボルトＢ１をそれぞれ緩めて取外すとともに、前記特定の横ビーム２Ａの両端部にそれぞれ挿入されている第一のインナースリーブ３Ａ及び第二のインナースリーブ３Ｂの、スリーブ本体４Ａ，４Ｂに被せられているカバー材５Ａ，５Ｂを上方向に取外して、前記特定の横ビーム２Ａの左右の隣りに配置されている隣りの横ビーム２Ｂ，２Ｃ側に前記スリーブ本体４Ａ，４Ｂを横方向に移動させ、前記特定の横ビーム２Ａの両端部からそれぞれの前記スリーブ本体４Ａ，４Ｂを抜き取ることにより、前記特定の横ビーム２Ａを前記支柱１Ａ，１Ｂから取外す。
【００２９】
そして、図９（イ）、（ロ）、（ハ）に順番に示す様に、前記特定の横ビーム２Ａの両端部からその左右の隣りの横ビーム２Ｂ，２Ｃ側に移動した前記スリーブ本体４Ａ及びスリーブ本体４Ｂを、前記隣り合う横ビーム２Ｂ，２Ｃの間に配置した取替え用横ビーム２Ｄの一方の端部と他方の端部とに挿入し、前記カバー材５Ａ，５Ｂを前記スリーブ本体４Ａ及びスリーブ本体４Ｂに上方から被せ、前記取替え用横ビーム２Ｄの両端部に前記第一のインナースリーブ３Ａ及び第二のインナースリーブ３Ｂが配置された状態で、前記取付ボルト６Ａ，６Ｂ及び横ビーム固定ボルトＢ１を締め込んで、前記第一のインナースリーブ３Ａ及び第二のインナースリーブ３Ｂを介して、前記取替え用横ビーム２Ｄが前記支柱１Ａ，１Ｂの前側に取付けられる。
【００３０】
また上述の実施形態においては、前記スリーブ本体４の凹部４２にナットＮを配置するようにしているが、これに限定されるものではなく、取付ボルト頭６２を配置するようにしてもよい。この場合は、前記カバー材５の背面側の縦壁５３に設けられている透孔５３２を、背面側の縦壁５３の下端まで延設し、下側に開口された逆Ｕ字孔とするのがよい。また、前記カバー材５をスリーブ本体４の上方から被せるようにしているが、下方から被せるようにしてもよい。
【００３１】
また、前記スリーブ本体４の両端部に設けられているビーム固定用凹部４５については、必ずしも設ける必要はなく、設けない場合には、前記横ビーム２端部の下面側に設けられている横ビーム取付孔２１に対応する横ビーム２端部の上面側に貫通孔を設けて、適宜長さの横ビーム固定ボルトＢ１を前記横ビーム取付孔２１と上面側の貫通孔とスリーブ本体４の挿通孔４４とに挿通し、横ビーム固定ナットＢ１を螺合して、横ビーム２を固定するようにすればよい。
【００３２】
また、本実施形態において、前記支柱１と横ビーム２とは、断面が円形のパイプ材を用いているが、これに限定されるものではなく、断面が正方形や楕円形と言ったパイプ材を用いてもよい。その場合には、前記インナースリーブ３及び前記カバー材５の背面側の縦壁５３の外側面５３１を支柱１と横ビーム２の断面形状に対応するように形成すればよい。
【符号の説明】
【００３３】
１、１Ａ、１Ｂ  支柱
１１  前側面
１２  取付ボルト挿通孔
１３  前端縁
２  横ビーム
２Ａ  特定の横ビーム
２Ｂ、２Ｃ  隣りの横ビーム
２Ｄ  取替え用横ビーム
２１  横ビーム取付孔
２２  後端縁
３  インナースリーブ
３Ａ  第一のインナースリーブ
３Ｂ  第二のインナースリーブ
４、４Ａ、４Ｂ  スリーブ本体
４１  貫通孔
４２  凹部
４３  切り込み部
４３１  前側切り込み部
４３２  後側切り込み部
４４  挿通孔
４５  ビーム固定用凹部
４６  縦壁状部
５、５Ａ、５Ｂ  カバー材
５１  上面側の水平壁
５２  前面側の縦壁
５３  背面側の縦壁
５３１  外側面
５３２  透孔
５３３  内側面
５３４  段部
６、６Ａ、６Ｂ  取付ボルト
６１  胴体部
６２  取付ボルト頭
Ｐ  防護柵
Ｎ  ナット
Ｂ１  横ビーム固定ボルト
Ｂ１’  胴体部
Ｂ１”  横ビーム固定ボルト頭
Ｎ１  横ビーム固定ナット
Ｇ  設置面
Ｘ  前後方向の幅
Ｙ  距離
Ｓ  隙間
【図１】
0006321468.tif 000002
【図２】
0006321468.tif 000003
【図３】
0006321468.tif 000004
【図４】
0006321468.tif 000005
【図５】
0006321468.tif 000006
【図６】
0006321468.tif 000007
【図７】
0006321468.tif 000008
【図８】
0006321468.tif 000009
【図９】
0006321468.tif 000010